(57)【要約】【課題】画像表示部のブレを抑えつつ、周囲の視認性を損なわないニアアイディスプレイ装置を提供する。【構成】ニアアイディスプレイ装置２０は、画像を表示する画像表示部２２と、画像表示部２２をユーザUの眼前の位置で支持する支持部２１と、支持部２１に連結され、頭部装着帯１０に結合する結合部２７と、ユーザUの視野の中心と画像表示部２２の画面中心とが一致している場合の前記視野の外になる支持部２１の位置に設けられ、側頭部Hを押圧する予備支持部４０と、予備支持部４０に側頭部Ｈに対する押圧力を発生させる押圧力発生ユニット４０４とを備えている。【選択図】図１
2005236941.tif 000002
【特許請求の範囲】
【請求項１】
ユーザの眼前で画像表示を行なうニアアイディスプレイ装置において、
画像を表示する画像表示部と、
前記画像表示部を前記ユーザの眼前の位置で支持可能とする支持部と、
前記ユーザの頭部に装着される頭部装着部に前記支持部を結合する結合部と、
前記ユーザの視野の中心が前記画像表示部の画面内にある場合の前記視野の外側になる前記支持部の位置に設けられ、前記頭部を押圧する予備支持部と、
弾性力及び／又は電磁力により、前記予備支持部に前記頭部を押圧する押圧力を発生させる押圧力発生手段と、
を備えていることを特徴とするニアアイディスプレイ装置。
【請求項２】
ユーザの眼前で画像表示を行なうニアアイディスプレイ装置において、
画像を表示する画像表示部と、
前記画像表示部を前記ユーザの眼前の位置で支持可能とする支持部と、
前記ユーザの頭部に装着される頭部装着部に前記支持部を結合する結合部と、
前記支持部の、前記頭部装着部が装着されている前記頭部の側頭部近傍に設けられ、該側頭部を押圧する予備支持部と、
を備えていることを特徴とするニアアイディスプレイ装置。
【請求項３】
請求項２に記載のニアアイディスプレイ装置において、
弾性力及び／又は電磁力により、前記予備支持部に前記側頭部を押圧する押圧力を発生させる押圧力発生手段を備えている、
ことを特徴とするニアアイディスプレイ装置。
【請求項４】
請求項１及び３のいずれか一項に記載のニアアイディスプレイ装置において、
前記予備支持部は、該予備支持部が前記頭部に対し押圧可能な押圧位置と、該予備支持部が前記頭部に対し押圧不能な退避位置との間で、変位可能に設けられている、
ことを特徴とするニアアイディスプレイ装置。
【請求項５】
請求項４に記載のニアアイディスプレイ装置において、
前記押圧位置の前記予備支持部が前記頭部に対して加える押圧力の値を検出する押圧力検知手段を備え、
前記押圧力発生手段は、前記押圧力検知手段で検知された前記値が予め定めた一定の範囲内の値を保つように前記押圧力を制御する、
ことを特徴とするニアアイディスプレイ装置。
【請求項６】
請求項４及び５のいずれか一項に記載のニアアイディスプレイ装置において、
前記支持部は、前記画像表示部が取り付けられたアーム部、及び前記アーム部を収納する収納部を有し、
前記収納部は、前記画像表示部がユーザの眼前に支持される突出位置と、前記画像表示部がユーザの眼前から退避して前記アーム部の少なくとも一部が前記収納部に収納される収納位置と、の間で、前記アーム部をスライド可能に支持し、
前記アーム部が前記収納位置に存在するとき、前記予備支持部が前記退避位置にある、
ことを特徴とするニアアイディスプレイ装置。
【請求項７】
請求項６に記載のニアアイディスプレイ装置において、
前記アーム部が前記突出位置に存在しているときに、前記予備支持部が前記押圧位置にある、
ことを特徴とするニアアイディスプレイ装置。
【請求項８】
請求項１、３から７のいずれか一項に記載のニアアイディスプレイ装置において、
前記押圧力の作用方向と前記結合部とを含む面内で、前記結合部を基準とする前記支持部の傾きを調節する傾き調節手段を備えている、
ことを特徴とするニアアイディスプレイ装置。
【請求項９】
請求項８に記載のニアアイディスプレイ装置において、
前記傾き調節手段は、前記支持部に対する前記予備支持部の突出量を調節する突出量調節手段を有している、
ことを特徴とするニアアイディスプレイ装置。
【請求項１０】
請求項８及び９のいずれか一項に記載のニアアイディスプレイ装置において、
前記傾き調節手段は、前記結合部と前記支持部との接続部分における、該結合部から該支持部までの距離を変える距離調節手段を有している、
ことを特徴とするニアアイディスプレイ装置。
【請求項１１】
請求項８から１０のいずれか一項に記載のニアアイディスプレイ装置において、
前記押圧力発生手段は、前記結合部又は該結合部近傍に配置され、前記支持部の前記画像表示部側を該押圧力の作用方向に傾ける力を発生させる、
ことを特徴とするニアアイディスプレイ装置。
【請求項１２】
請求項１、３から１１のいずれか一項に記載のニアアイディスプレイ装置において、
前記押圧力の作用方向と前記結合部とを含む面内で、前記結合部に対して前記支持部を揺動可能に取り付ける関節を有する、
ことを特徴とするニアアイディスプレイ装置。
【発明の詳細な説明】
【技術分野】
【０００１】
本発明は、ユーザの眼前で画像表示を行なうニアアイディスプレイ装置に関する。
【背景技術】
【０００２】
ニアアイディスプレイ（以下、NEDと略称する場合がある）装置は、ユーザの頭部に装着された状態で、ユーザが画像を見ることができるように画像出力を行なう。この種のNED装置としては、片眼の眼前に画像表示部が配置される片眼タイプのものがある。
【０００３】
片眼タイプのNED装置は、アーム部とアーム部に保持された画像表示部とを備えている。そして、アーム部を頭部装着部に結合することで、ユーザの片方の眼前で画像表示を行っている。
【０００４】
片眼タイプのNED装置では、画像表示部からの画像と、外部の景色とが同時に視野に入る。したがって、片眼タイプのNED装置は、画像から特定の情報を得つつ、外部の景色を見ながら作業ができるなどの利点がある。
【０００５】
しかし、この種の片眼タイプのNED装置においては、ユーザの動作等により画像表示部が振動し、表示された映像が見にくくなる可能性がある。
【０００６】
そこで、画像表示部のブレなどの振動による影響を避けるために、例えば、特許文献１では、画像表示部に、ユーザの鼻部に接触可能な振れ止めを設けている。そして、振れ止めをユーザの鼻部に接触させ、ユーザの顔面部と画像表示部との相対運動を減少させることが提案されている。
【０００７】
【特許文献１】特開２０００−３１４３号公報  図１
【発明の開示】
【発明が解決しようとする課題】
【０００８】
しかし、特許文献１に記載の技術では、ユーザが一方の眼により画像表示部の画像を観察する際に、振れ止めが使用者の眼の視野の中心部の一部を遮り、周囲の環境の視認性が悪くなることがある。
【０００９】
本発明は、上記事情を鑑みてなされたものであり、本発明の目的は、画像表示部のブレを抑えつつ、周囲の視認性を損なわないニアアイディスプレイ装置を提供することである。
【課題を解決するための手段】
【００１０】
前記目的を達成するために、請求項1に係る発明のニアアイディスプレイ装置は、
画像を表示する画像表示部と、前記画像表示部を前記ユーザの眼前の位置で支持可能とする支持部と、ユーザの頭部に装着される頭部装着部に前記支持部を結合する結合部と、前記ユーザの視野の中心が前記画像表示部の画面内にある場合の前記視野の外側になる前記支持部の位置に設けられ、前記頭部を押圧する予備支持部と、弾性力及び／又は電磁力により、前記予備支持部に前記頭部を押圧する押圧力を発生させる押圧力発生手段と、を備えていることを特徴とする。
【００１１】
請求項２に係る発明のニアアイディスプレイ装置は、
画像を表示する画像表示部と、前記画像表示部をユーザの眼前の位置で支持可能とする支持部と、前記ユーザの頭部に装着される頭部装着部に前記支持部を結合する結合部と、前記支持部の、前記頭部装着帯が装着されている前記頭部の側頭部近傍に設けられ、該側頭部を押圧する予備支持部と、を備えることを特徴とする。
【００１２】
請求項３に係る発明のニアアイディスプレイ装置は、
請求項２に記載のニアアイディスプレイ装置において、
弾性力及び／又は電磁力により、前記予備支持部に前記側頭部を押圧する押圧力を発生させる押圧力発生手段を備えていることを特徴とする。
【００１３】
請求項４に係る発明のニアアイディスプレイ装置は、
請求項１及び３のいずれか一項に記載のニアアイディスプレイ装置において、
前記予備支持部は、該予備支持部が前記頭部に対し押圧可能な押圧位置と、前記予備支持部が前記頭部に対し押圧不能な退避位置との間で、変位可能に設けられていることを特徴とする。
【００１４】
請求項５に係る発明のニアアイディスプレイ装置は、
請求項４に記載のニアアイディスプレイ装置において、
前記押圧位置の前記予備支持部が前記頭部に対して加える押圧力の値を検出する押圧力検知手段を備え、
前記押圧力発生手段は、前記押圧力検知手段で検知された前記値が予め定めた一定の範囲内の値を保つように前記押圧力を制御することを特徴とする。
【００１５】
請求項６に係る発明のニアアイディスプレイ装置は、
請求項４及び５のいずれか一項に記載のニアアイディスプレイ装置において、
前記支持部は、前記画像表示部が取り付けられたアーム部、及び前記アーム部を収納する収納部を有し、前記収納部は、前記画像表示部がユーザの眼前に支持される突出位置と、前記画像表示部がユーザの眼前から退避して前記アーム部の少なくとも一部が前記収納部に収納される収納位置と、の間で、前記アーム部をスライド可能に支持し、前記アーム部が前記収納位置に存在するとき、前記予備支持部が前記退避位置にある、ことを特徴とする。
【００１６】
請求項７に係る発明のニアアイディスプレイ装置は、
請求項６に記載のニアアイディスプレイ装置において、
前記アーム部が前記突出位置に存在しているときに、前記予備支持部が前記押圧位置にあることを特徴とする。
【００１７】
請求項８に係る発明のニアアイディスプレイ装置は、
請求項１、３から７のいずれか一項に記載のニアアイディスプレイ装置において、
前記押圧力の作用方向と前記結合部とを含む面内で、前記結合部を基準とする前記支持部の傾きを調節する傾き調節手段を備えていることを特徴とする。
【００１８】
請求項９に係る発明のニアアイディスプレイ装置は、
請求項８に記載のニアアイディスプレイ装置において、
前記傾き調節手段は、前記支持部に対する前記予備支持部の突出量を調節する突出量調節手段を有していることを特徴とする。
【００１９】
請求項１０に係る発明のニアアイディスプレイ装置は、
請求項８及び９のいずれか一項に記載のニアアイディスプレイ装置において、
前記傾き調節手段は、前記結合部と前記支持部との接続部分における、該結合部から該支持部までの距離を変える距離調節手段を有していることを特徴とする。
【００２０】
請求項１１に係る発明のニアアイディスプレイ装置は、
請求項８から１０のいずれか一項に記載のニアアイディスプレイ装置において、
前記押圧力発生手段は、前記結合部又は該結合部近傍に配置され、前記支持部の前記画像表示部側を該押圧力の作用方向に傾ける力を発生させることを特徴とする。
【００２１】
請求項１２に係る発明のニアアイディスプレイ装置は、
請求項１、３から１１のいずれか一項に記載のニアアイディスプレイ装置において、
前記押圧力の作用方向と前記結合部とを含む面内で、前記結合部に対して前記支持部を揺動可能に取り付ける関節を有することを特徴とする。
【発明の効果】
【００２２】
本発明によれば、画像表示部のブレを抑えつつ、周囲の視認性を損なわないニアアイディスプレイ装置を提供できる。
【発明の実施するための最良の形態】
【００２３】
本発明の実施形態について説明する。
【００２４】
まず、本発明の第１実施形態に係るニアアイディスプレイ（以下、NEDとする）システムについて、図１〜２を用いて説明する。
【００２５】
図１は、NEDシステム１をユーザUの頭部Hに装着した場合の外観の斜視図である。なお、本願では、頭部Hとは、NEDシステム１を利用するユーザUの頸部を含み、頸部から上の部分をさしている。
【００２６】
NEDシステム１は、音声、音楽、効果音等の音響を発生させる機能を有すると共に、頭部Hに装着されるヘッドホン１０と、ユーザUに対して画像を表示する機能を有するNED装置２０と、を有する。また、NED装置２０にはケーブル３０が接続されている。ケーブル３０は、不図示の電源供給ユニット、及び音響・画像信号生成ユニットから、電力と音響・画像信号を、NEDシステム１へ供給する。
【００２７】
ヘッドホン１０は、右側スピーカ１１aと、左側スピーカ１１ｂと、右側耳架け部１２aと、左側耳架け部１２ｂと、右側スピーカ１１a及び左側スピーカ１１ｂを連結するヘッドホンアーム１３と、を備えて構成される。
【００２８】
右側スピーカ１１a、及び左側スピーカ１１ｂは、音響出力機能を有し、ケーブル３０からの音響信号が供給される。
【００２９】
右側耳架け部１２aは、右側スピーカ１１aに接続され、右側スピーカ１１aが頭部Hに密着した状態で装着されるのを補助する。また、左側耳架け部１２ｂは、左側スピーカ１１ｂに接続され、左側スピーカ１１ｂが頭部Hに密着した状態で装着されるのを補助する。
【００３０】
ヘッドホンアーム１３は、弾力によりユーザUの頭部Hを挟むと共に、右側スピーカ１１aと左側スピーカ１１ｂとを連結している。
【００３１】
NED装置２０は、画像表示部２２と、画像表示部２２をユーザUの眼前の位置で支持可能とする支持部２１と、支持部２１とヘッドホンアーム１３とを結合する結合部２７と、支持部２１に設けられた予備支持部４０と、予備支持部４０に設けられた頭部押圧検出センサ５０と、を有している。
【００３２】
予備支持部４０は、ユーザUの視野の中心と画像表示部２２の画像の中心とが一致する場合のユーザUの視野に入らない支持部２１の位置に、設けられている。
【００３３】
画像表示部２２は、ケーブル３０を介して送信された画像信号を再生して表示する。画像信号の再生・表示には、公知の技術を利用できる。
【００３４】
支持部２１は、連結部２３と、アーム部２４と、収納部２５と、を備えている。
【００３５】
連結部２３は、画像表示部２２とアーム部２４とを連結している。連結部２３は、ボールジョイントを用いて、連結部２３を中心に画像表示部２２の画像表示方向を連続的に変更可能としてもよい。
【００３６】
アーム部２４は、その一端が連結部２３を介して画像表示部２２に連結され、その他端側が収納部２５にスライド可能に支持されている。また、アーム部２４は、図２に示すように、頭部Hに対向する面に、保持部２４１と、ピン２４２と、バネ取り付け部２４３と、が取り付けられている。
【００３７】
アーム部２４は、管状のアームであり、頭部Hの側頭部から顔面部への曲線に沿ったカーブを成し、画像表示部２２および連結部２３の重量に耐える強度を有している。
【００３８】
収納部２５は、アーム部２４の少なくとも一部と共に、予備支持部４０の少なくとも一部を、その内部に収納できる。
【００３９】
なお、本願では、図２に示す様に画像表示部２２がユーザの眼前から退避しアーム部２４の少なくとも一部が収納部２５に収納される場合、アーム部２４は収納位置にある、という。また、アーム部２４により画像表示部２２がユーザの眼前に支持される場合（図１）、アーム部２４は突出位置にある、という。
【００４０】
収納部２５は、収納ケース２５１と、ディスプレイアーム位置検出センサ２５３と、支持部駆動ユニット２５４と、制御ユニット２５６と、モード切替スイッチ２５７と、を有している。
【００４１】
収納ケース２５１内の収納空間２５２は、アーム部２４、及びアーム部２４に沿った状態の予備支持部４０を収納できる充分な大きさを有している。また、アーム部２４の少なくとも一部を収納できる奥行きを有している。
【００４２】
ディスプレイアーム位置検出センサ２５３は、押圧センサである。ディスプレイアーム位置検出センサ２５３の取り付け位置は、収納空間２５２の最奥部である。本実施形態では、アーム部２４が収納位置にある場合、アーム部２４の画像表示部２２が取り付けられていない一端２４６が、収納空間２５２の最奥部を押圧する。したがって、ディスプレイアーム位置検出センサ２５３は、アーム部２４からの押圧を検知し、アーム部２４が収納位置であることを検出する。
【００４３】
支持部駆動ユニット２５４は、電動モータ（不図示）と、電動モータへの電力線及び制御信号線（不図示）と、モータ軸２５４１と、モータ軸２５４１に固定された駆動ローラ２５４２と、を備えている。駆動ローラ２５４２の外縁部は、湾曲したアーム部２４の内周側面に接している。駆動ローラ２５４２は、電動モータからモータ軸２５４１に与えられた回転力によって、アーム部２４をスライド移動させることができる。モータ軸２５４１の回転方向を変えることで、アーム部２４のスライド移動方向も変えることができる。また、支持部駆動ユニット２５４には、電動モータが駆動されない場合に駆動ローラ２５４２の回転を止める、ストッパーが付いている。
【００４４】
モード切替スイッチ２５７は、図２に示すように、その一部が収納ケース２５１の外側に突出しており、収納ケース２５１をつけたまま操作可能である。このモード切替スイッチ２５７によって、アーム部２４のスライド操作を手動で行なう手動モードと電動により支持部駆動ユニット２５４を起動して行なう電動モードと、スイッチオフのオフモードとの、３つのモードを切り替える。なお、電動モード、及び手動モードの場合は、駆動ローラ２５４２の回転を止める前述のストッパーは、解放される。
【００４５】
図３は、アーム部２４の一部、予備支持部４０、及び頭部押圧検出センサ５０の断面図である。
【００４６】
予備支持部４０は、頭部Hを一定以上の圧力で押圧する押圧部４０１と、軸部４０２と、バネ取り付け部４０３と、軸部４０２をアーム部２４に取り付ける取り付け部４０５と、を有している。また、押圧部４０１には、頭部Hに対する押圧を検出する頭部押圧検出センサ５０が設けられている。更に、この押圧部４０１内には、頭部Hの動きの変化を検出する動きセンサ４０７が設けられている。
【００４７】
押圧部４０１は、球形であり、軸部４０２と連結している。また、押圧部４０１は、頭部Hを押圧する。
【００４８】
軸部４０２は、取り付け部４０５を介して、保持部２４１とピン２４２とによって、アーム部２４に揺動可能に取り付けられている。
【００４９】
予備支持部４０に押圧力を発生させる押圧力発生ユニット４０４は、電磁石４０４１、４０４２と、バネ４０４３と、を有している。電磁石４０４２は、軸部４０２に取り付けられ、電磁石４０４１は、電磁石４０４２と対向するように、アーム部２４に取り付けられている。電磁石４０４１、４０４２には、収納部２５から不図示の電力線を介して電力が供給されている。また、収納部２５の制御ユニット２５６(図４：後述)によって、電磁石４０４１、４０４２への電流の方向・強さを制御できる。したがって、電磁石４０４１、４０４２が引き合うようにも、反発しあうようにも、電磁力を調整できる。
【００５０】
バネ４０４３は、アーム部２４上のバネ取り付け部２４３にその一端が取り付けられている。バネ４０４３の他端は、軸部４０２上のバネ取り付け部４０３に取り付けられている。バネ４０４３は、押圧部４０１がピン２４２を回転軸として、アーム部２４に近づく方向に揺動運動した場合（矢印Ｂ方向）、その揺動運動を打ち消す方向（矢印Ａ方向）にバネ４０４３の弾性力を働かせる。
【００５１】
押圧部４０１の内部に設けられている動きセンサ４０７は、ジャイロセンサで構成されている。この動きセンサ４０７は、押圧部４０１が頭部Hに押圧した状態での、頭部Hの動きの変化を検出する。
【００５２】
頭部押圧検出センサ５０は、押圧部４０１の表面で頭部Hに押圧する部分に装着され、その押圧力の値を検出する。
【００５３】
動きセンサ４０７の出力、及び頭部押圧検出センサ５０の出力は、各々信号線を介して収納部２５に設けられた制御ユニット２５６に送られる（図４）。
【００５４】
なお、本願では、予備支持部４０の押圧部４０１が頭部Hに押圧可能な位置にある場合、その位置を予備支持部４０の押圧位置という。また、予備支持部４０の押圧部４０１が頭部Hに押圧不能な位置にある場合、その位置を予備支持部４０の退避位置という。この予備支持部４０は、押圧位置と退避位置との間で、変位可能に設けられている。
【００５５】
図４は、ＮＥＤシステム１の駆動・制御に関する機能ブロック図である。
【００５６】
制御ユニット２５６は、収納部２５に設けられたディスプレイアーム位置検出センサ２５３、支持部駆動ユニット２５４、及びモード切替スイッチ２５７と、予備支持部４０に配置された動きセンサ４０７及び押圧力発生ユニット４０４と、頭部押圧検出センサ５０と、画像表示部２２と、にそれぞれ信号線を介して接続されている。制御ユニット２５６は、それらの信号線を介して信号の送受信を行なう。また、制御ユニット２５６は、頭部押圧検出センサ５０の出力５０００から、押圧値が予め定めた一定の範囲に留まるように、押圧力発生ユニット４０４を制御する。また、制御ユニット２５６は、ディスプレイアーム位置検出センサ２５３の出力２５３０から、アーム部２４が突出位置あるいは収納位置にあるように、支持部駆動ユニット２５４を制御する。
【００５７】
ＮＥＤシステム１の使用開始から使用終了までの制御、及び動作を、順に説明する。なお、以下の説明では、ブロック間の制御信号は記載せず、各センサからのデータのみを記載する。
【００５８】
（１）ユーザUは、本実施形態のＮＥＤシステム１を頭部Hに装着する。（２）ユーザUは、モード切替スイッチ２５７により電動モードと手動モードとのいずれかを選択する。
【００５９】
電動モードを選択した場合、（３）制御ユニット２５６は、支持部駆動ユニット２５４を制御し、アーム部２４を収納位置から突出位置へと繰り出させる。その結果、画像表示部２２は片目眼前で支持される。
【００６０】
手動モードを選択した場合は、（４）制御ユニット２５６は、支持部駆動ユニット２５４に備わる、アーム部２４に対するストッパーをオフとする。（５）ユーザUが手動でアーム部２４を収納位置から突出位置へと繰り出す。
【００６１】
以上の（３）あるいは（４）、（５）が行われている過程で、以下の（６）〜（７）が平行して行なわれる。
【００６２】
（６）ディスプレイアーム位置検出センサ２５３は、アーム部２４の端部２４６が収納部２５の最奥部から離れたことを検出し、制御ユニット２５６に支持部位置検出信号２５３０を送信する。（７）制御ユニット２５６は支持部位置検出信号２５３０を受信し、押圧力発生ユニット４０４を制御し、予備支持部４０を退避位置から押圧位置へと変位させる。
【００６３】
さらに、以下の制御・動作が行なわれる。
【００６４】
（８）制御ユニット２５６は、頭部押圧検出センサ５０を起動する。（９）制御ユニット２５６は、動きセンサ４０７を起動する。（１０）予備支持部４０の押圧部４０１は、頭部Hの側頭部に対し押圧を行なう。（１１）頭部押圧検出センサ５０は、押圧値を検出し、制御ユニット２５６に、頭部押圧検出信号５０００を送る。（１２）制御ユニット２５６は頭部押圧検出信号５０００を受け、押圧値が予め定めた一定の範囲に入った場合、画像表示部２２に画像を表示させる。（１３）制御ユニット２５６は、更に、押圧力の値が予め定めた一定の範囲に維持されるように、押圧力発生ユニット４０４を制御する。具体的には、押圧力発生ユニット４０４への電流を制御し、電磁石４０４１，４０４２の電磁力を調整する。
【００６５】
ユーザUが、画像の観察の終了を意図した場合、ＮＥＤシステム１の動作・制御は以下のようになる。
【００６６】
（１４）ユーザUがモード切替スイッチ２５７をオフモードの位置に戻すと、制御ユニット２５６は、画像表示部２２に画像表示を中止させる。（１５）制御ユニット２５６は、押圧力発生ユニット４０４を駆動し、予備支持部４０を押圧位置から退避位置へと移行させる。（１６）ユーザUが電動モードを利用していた場合、制御ユニット２５６は、支持部駆動ユニット２５４を駆動し、アーム部２４を突出位置から収納位置へと移行させる。ユーザUが手動モードを利用していた場合、ユーザUは手動によりアーム部２４を収納部２５に収納する。その際、予備支持部４０も、収納部２５に収納される。
【００６７】
なお、制御ユニット２５６が、動きセンサ４０７の動き検出信号４０７０を利用し、押圧力発生ユニット４０４を制御することも考えられる。例えば、制御ユニット２５６が、動きセンサ４０７からの動き検出信号４０７０を基に、頭部Hの動きの変化を算出する。その変化にあわせて制御ユニット２５６が、押圧部４０１の押圧の値が予め定めた一定の範囲に留まるように、押圧力発生ユニット４０４をコントロールしてもよい。また、予備支持部４０の退避位置および押圧位置の切り替えを手動で行ってもよい。その場合、モード切替スイッチ２５７の手動モードの下で行なえばよい。また、押圧力発生ユニット４０４では、電磁石４０４１、４０４２のいずれか一方を鉄などの磁性体としてもよい。予備支持部４０を押圧位置にする場合は、電磁力をオフとし、バネ４０４３の弾性力のみを用いてもよい。予備支持部４０を退避位置にする場合は、電磁石の電磁力を制御し、弾性力より大きい電磁力で磁性体を引き付ければよい。更に、退避位置を維持するロック機構を設けてもよい。
【００６８】
本実施形態のNED２０では、図１に示すようにユーザUが画像表示部２２の画像を観察する際の視野の外側になる、アーム部２４上の収納部２５側の位置に、予備支持部４０を設けている。したがって、予備支持部４０は、ユーザUの視野をユーザUに不快感を与える程度に遮ることが少ない。よって、第１実施形態のNEDシステム１は、周囲の視認性を損なわずに済む。
【００６９】
本発明の第２実施形態に係るＮＥＤシステム２について、図５〜６を用いて説明する。
【００７０】
本実施形態では、図５に示すように、第１実施形態と同様の予備支持部４０を、アーム部２４ではなく、収納部２５に設けている。したがって、アーム部２４に設けられていた保持部２４１と、ピン２４２と、バネ取り付け部２４３は、新たに収納部２５に設けられる。また、押圧力発生ユニット４０４の電磁石４０４１は、収納部２５上に配置される。また、バネ４０４３の一端も収納部２５に固定される。その他の構成は、第１実施例と共通である。よって、共通の構成要素には同じ番号を振ってある。また、共通の構成要素、及びその動作・制御について、重複する説明は省略する。なお、図５では、アーム部２４が突出位置にあり、収納部２５に揺動可能に設けられた予備支持部４０が、側頭部を押圧する押圧位置にある状態を示している。
【００７１】
ＮＥＤシステム２の装着時の動作は、（１）ユーザUのモード切替スイッチ２５７の選択により、アーム部２４は、手動あるいは支持部駆動ユニット２５４で突出位置に繰り出される(矢印Ａ)。（２）その過程で、第１実施形態と同様の制御により押圧力発生ユニット４０４が駆動し、（３）予備支持部４０は、押圧部４０１が頭部Hの側頭部を押圧する押圧位置をとる(矢印Ｂ)。
【００７２】
図６は、本実施形態のＮＥＤシステム２において、アーム部２４が収納位置にある場合の外観の斜視図である。収納部２５に設けられた予備支持部４０は退避位置にある。
【００７３】
ＮＥＤシステム２の脱着時の動作は、（１）ユーザUのモード切替スイッチ２５７の選択により、アーム部２４は、手動あるいは支持部駆動ユニット２５４により収納位置に収納される(矢印Ｃ)。（２）アーム部２４が収納される過程で、第１実施形態と同様の制御により押圧力発生ユニット４０４が駆動し、（３）予備支持部４０は、退避位置をとる(矢印Ｄ)。
【００７４】
なお、本実施形態では、予備支持部４０は頭部Hの側頭部を押圧する。しかし、頭部Hの側頭部ではなく、左スピーカ１１ｂを押圧するようにしてもよい。また、第１実施形態と同様に、頭部センサ４０７により頭部Hの動き変化を検出してもよい。そして、頭部Hの動き変化に対応した予備支持部４０の押圧制御を行ってもよい。また、第１実施形態と同様に、予備支持部４０の退避位置および押圧位置の切り替えを手動で行ってもよい。その場合、モード切替スイッチ２５７の手動モードの下で行なってもよい。
【００７５】
第２実施形態では、収納部２５に設けられた予備支持部４０により、側頭部を押圧している。したがって、予備支持部４０がユーザUの視野の外側に位置しており、予備支持部４０は、画像を観察中のユーザUの視野に入りにくくなる。したがって、本実施形態のNED２０では、画像表示部２２のブレを抑えつつ、周囲の視認性が良好となる。
【００７６】
本発明の第３実施形態に係るＮＥＤシステム３について、図７〜１０を用いて説明する。
【００７７】
本実施形態では、図７に示すように、新たな機構の予備支持部４１を、収納部２５に設けている。また、予備支持部４１が、ＮＥＤシステム３の装着前から押圧可能な押圧位置になっている。その他は、第２実施形態と共通である。よって、共通の構成要素には同じ番号を振ってある。また、共通の構成要素、及びその動作について、重複する説明は省略する。なお、図７では、アーム部２４が突出位置にあり、収納部２５に設けられた予備支持部４１が、押圧位置にある状態を示している。
【００７８】
図８は、押圧位置にある予備支持部４１、及び収納部２５の一部の断面図である。
【００７９】
予備支持部４１は、円盤状の押圧部４１１、押圧部４１１と一端で連結し内部に円筒状の中空部４１３を有する円筒４１２、を備えている。また、円筒４１２の開放端部は、収納部２５に設けられた円筒４１２と略同径の穴部にスライド可能に挿入されている。また、予備支持部４１は、押圧力発生ユニット４０４を有している。
【００８０】
押圧力発生ユニット４０４は、バネ４０４３を有している。バネ４０４３は、中空部４１３と略同径である。バネ４０４３の一端は、バネ取り付け部４１４に取り付けられている。バネ４０４３の他端は、収納部２５の穴部底部に設けられたバネ取り付け部２５８に取り付けられている。
【００８１】
バネ取り付け位置４１４にかかるバネ４０４３の弾性力は、ＮＥＤシステム３の姿勢にかかわらず、予備支持部４１が押圧位置を維持することができるように調整されている。
【００８２】
ＮＥＤシステム３(図７)の動作・制御は、第２実施形態とほぼ同様である。しかし、予備支持部４１が、装着前から押圧可能な押圧位置になっていることが異なっている。つまり、ユーザUは押圧位置にある予備支持部４１を頭部Hで押し戻すようにして、ＮＥＤシステム３を、その頭部Hに装着する。その後の装着動作は、予備支持部４１が常に押圧可能な押圧位置になっていることを除いて、第２の実施形態と同様である。
【００８３】
なお、収納部２５の穴部底部(図８)に電磁石を設け、押圧部４１１の一部に鉄などの磁性体を設ける構成も考えられる。この構成では、予備支持部４１を退避位置にする際に、バネ４０４３の弾性力に逆らい、電磁力により押圧部４１１を穴部底部の電磁石に引き寄せればよい。更に、予備支持部４１の少なくとも一部を、収納部２５の穴部に収納してもよい。また、予備支持部４１を押圧位置にするには、電磁石による電磁力をオフにして、バネ４０４３の弾性力だけで予備支持部４１を突出させればよい。
【００８４】
第３実施形態では、第２実施形態と同様に、収納部２５に設けられた予備支持部４１により、側頭部を押圧している。したがって、予備支持部４１がユーザUの視野の外側に位置しており、予備支持部４１は、画像を観察中のユーザUの視野に入りにくくなる。したがって、本実施形態のNED装置では、画像表示部２２のブレを抑えつつ、周囲の視認性が良好となる。
【００８５】
図９は、第３実施形態の第１変形例を示している。第１変形例では、結合部２７は、収納部２５を、ヘッドホンアーム１３ではなく、左スピーカ１１ｂに結合している。その他の構成及び動作は第３実施形態と同様である。
【００８６】
第１変形例では、収納部２５を左スピーカ１１ｂに結合することで、予備支持部４１が画像を観察中のユーザUの視野に入りにくくなる。したがって、本変形例のNED装置では、画像表示部２２のブレを抑えつつ、周囲の視認性が良好となる。
【００８７】
図１０は、第３実施形態の第２変形例を示している。第２変形例では、予備支持部４１が、頭部Hではなく、左スピーカ１１ｂを押圧している。その他の構成及び動作は第３実施形態と同様である。
【００８８】
第２変形例では、予備支持部４１が左スピーカ１１ｂを介して、頭Hに押圧をかけるので、予備支持部４１が画像を観察中のユーザUの視野に入りにくくなる。したがって、本変形例のNED２０では、画像表示部２２のブレを抑えつつ、周囲の環境の視認性が良好となる。
【００８９】
次に、本発明の第４実施形態に係るＮＥＤシステム４について、図１１〜１４を用いて説明する。なお、図１１は、本実施形態に係るＮＥＤシステム４の斜視図で、図１２は、ＮＥＤシステム４の要部切欠き平面図で、図１３は、図１２におけるＡ−Ａ線断面図である。
【００９０】
本実施形態のNEDシステム４も、図１１に示すように、以上の実施形態と同様、ヘッドホン１０ａとNED装置２０ａとを備えている。
【００９１】
ヘッドホン１０ａは、右側スピーカ１１aと、左側スピーカ１１ｂと、右側スピーカ１１aと左側スピーカ１１ｂとを連結するヘッドホンアーム１３ａと、を有している。ヘッドホンアーム１３ａは、以上の実施形態と異なり、各スピーカ１１ａ，１１ｂの傍で湾曲しており、この湾曲部分が耳掛け部１４を形成している。
【００９２】
また、NED装置２０ａは、以上の実施形態と同様、画像表示部２２、支持部２１、結合部２７と、予備支持部４０ａを備えている。さらに、本実施形態のNED装置２０ａは、図１２に示すように、予備支持部４０ａの突出量を調節する突出量調節部６０と、結合部２７から支持部２１までの距離を変える距離調節具６５、結合部２７に対して支持部２１を揺動可能に取り付ける関節７０と、予備支持部４０ａに押圧力Ｆを発生させる押圧力発生手段としてのスプリングコイル７５と、を備えている。
【００９３】
支持部２１の収納部２５の画像表示部２２側には、予備支持部４０ａを取り付けるための取り付け部分が形成されている。本実施形態の予備支持部４０ａの軸部には、雄ネジ６１が形成されており、収納部２５の取り付け部分には、予備支持部４０ａの雄ネジ６１が螺合する雌ネジ６２が形成されている。突出量調節部６０は、これら予備支持部４０ａの軸部に形成された雄ネジ６１と収納部２５の取り付け部分に形成された雌ネジ６２と、を有して構成されている。従って、予備支持部４０ａは、軸部を回転させることにより、収納部２５に対しての突出量を変えることができる。
【００９４】
結合部２７には、図１２及び図１３に示すように、支持部２１側に突出した凸部２７ａが形成されている。距離調節具６５は、この結合部２７の凸部２７ａに嵌まり込む嵌合凹部６５ｂと、結合部２７の凸部２７ａと同形状の凸部６５ａとを有している。この距離調節具６５は、これを設けるか、又はこれを１以上設けるか、つまりこれを重ね合わせる個数により、結合部２７と支持部２１との接続部分における、結合部２７から支持部２１までの距離を調節することができる。
【００９５】
関節７０は、結合部２７の凸部２７ａ又は距離調節具６５の凸部６５ａに嵌まり込む軸受部材７１と、この軸受部材７１に対して回転可能な軸部材７２とを有している。この軸部材７２は、一方の端部側が軸受部材７１に回転可能に受けられ、他方の端部が収納部２５に固定されている。また、この軸部材７２は、本実施形態のニアアイディスプレイシステム４を頭部Ｈに装着した際、ほぼ鉛直方向と平行になるように設けられている。従って、支持部２１は、この関節７０により、本実施形態のニアアイディスプレイシステム４を頭部Ｈに装着した際の水平面内、言い換えると予備支持部４０ａの押圧力Ｆの作用方向と結合部２７とを含む面内で、結合部２７に対して揺動Ｖθすることができる。
【００９６】
スプリングコイル７５は、図１２に示すように、関節７０の軸部材７２を基準にして画像表示部側に配置され、その一方の端部が関節７０の軸受部材７１に取り付けられ、その他方の端部が収納部２５の外周側の内壁面に取り付けられている。このコイルスプリング７５は、引っ張られた状態で設置されているため、支持部２１と共に、この支持部２１に設けられている予備支持部４０ａを頭部Ｈに近づく方向に付勢している。したがって、予備支持部４０ａは、このコイルスプリング７５により、頭部Ｈに対する一定の押圧力Ｆを確保している。
【００９７】
以上のように、本実施形態では、距離調節具６５の数量を変えることにより、及び/又は予備支持部４０ａを回転させることにより、予備支持部４０ａの押圧力Ｆの作用方向を含む面内、つまり装置使用時における水平面内で、支持部２１を傾けることができる。このため、頭部Ｈに対する画像表示部２２の左右方向の位置を調節することができる。特に、突出量調節部６０を設けたことで、装置を頭部Ｈに装着し、予備支持部４０ａによる押圧力Ｆが作用している状態であっても、頭部Ｈに対する画像表示部２２の左右方向の位置を微調節することができる。
【００９８】
なお、本実施形態では、予備支持部４０ａの押圧力Ｆの作用方向を含む面内で支持部２１を傾けるために、距離調節具６５と突出量調節部６０とを設けたが、いずれか一方のみであってもよい。但し、距離調節具６５は、装置の使用前に予め設けておく必要がある一方で、突出量調節部６０は、装置の使用前であろうが使用中であろうが支持部２１の傾きを変えることができるので、いずれか一方のみを設ける場合には、装置の使用中であっても支持部２１の傾きを変えることができる方、つまり、本実施形態では突出量調節部６０のみを設けることが好ましい。
【００９９】
また、本実施形態の突出量調節部６０は、ネジ構造により予備支持部４０ａの突出量を調節するものであるが、予備支持部４０ａの突出量を調節できれば、例えば、カム構造を採用しても、電磁石を用いた構造等を採用してもよい。さらに、本実施形態では、押圧力発生手段として、コイルスプリング７５を用いたが、このコイルスプリング７５の替わりに、他の弾性部材や、電磁石等を用いてもよいことは言うまでもない。また、本実施形態では、距離調節手段として距離調節具６５を用いたが、この替わりに、突出量調節部と同様にネジ構造等を採用してもよい。
【０１００】
以上のように、本発明に係る各実施形態によれば、周囲の環境の視認性のよいＮＥＤ装置を提供することができる。特に、予備支持部を支持部に設けることで、予備支持部が画像観察中のユーザの視野に入ることが少なくなり、NED装置の周囲の視認性が良好となる。
【０１０１】
なお、本発明は上記の実施形態に限定されるものではなく、その要旨の範囲内で数々の変形が可能である。例えば、ＮＥＤ装置は頭部の左右のどちら側にも装着できるようにしてもよく、そのために制御ユニットで表示画像を適宜切り替えられるようにしてもよい。
【０１０２】
また、電源を外部に設けず、例えば収納部にバッテリを設けてもよい。また、音響・映像信号を無線で受信するようにしてもよい。
【図面の簡単な説明】
【０１０３】
【図１】本発明に係る第１実施形態のニアアイディスプレイシステムの斜視図である。
【図２】本発明に係る第１実施形態のニアアイディスプレイ装置の要部切欠き平面である。
【図３】本発明に係る第１実施形態の予備支持部４０の駆動機構を説明する説明図である。
【図４】本発明に係る第１実施形態のニアアイディスプレイ装置の機能ブロック図である。
【図５】本発明に係る第２実施形態のニアアイディスプレイ装置(突出位置における)の外観を示す斜視図である。
【図６】本発明に係る第２実施形態のニアアイディスプレイ装置(収納位置における)の斜視図である。
【図７】本発明に係る第３実施形態のニアアイディスプレイ装置(突出位置における)の斜視図である。
【図８】本発明に係る第３実施形態のニアアイディスプレイ装置の予備支持部の断面図である。
【図９】本発明に係る第３実施形態のニアアイディスプレイ装置の第１変形例の斜視図である。
【図１０】本発明に係る第３実施形態のニアアイディスプレイ装置の第２変形例の斜視図である。
【図１１】本発明に係る第４実施形態のニアアイディスプレイシステムの斜視図である。
【図１２】本発明に係る第４実施形態のニアアイディスプレイシステムの要部切欠き平面図である。
【図１３】図１２におけるＡ−Ａ線断面図である。
【図１４】本発明に係る第４実施形態の距離調節具の斜視図である。
【符号の説明】
【０１０４】
１…ニアアイディスプレイ装置システム、１０，１０ａ…ヘッドホン、１１ａ、ｂ…左・右スピーカ、１２ａ、ｂ…左・右耳かけ部、１３，１３ａ…ヘッドホンアーム、２０，２０ａ…ニアアイディスプレイ装置、２１…支持部、２２…画像表示部、２３…連結部、２４…アーム部、２５…収納部、２７…結合部、２５６…制御ユニット、２５７…モード切替スイッチ、２７…結合部、３０…ケーブル、４０，４０ａ…予備支持部、６０…突出量調節部、６５…距離調節具、７０…関節、４０４…押圧力発生ユニット、
U…ユーザ、H…頭部
【図１】
2005236941.tif 000003
【図２】
2005236941.tif 000004
【図３】
2005236941.tif 000005
【図４】
2005236941.tif 000006
【図５】
2005236941.tif 000007
【図６】
2005236941.tif 000008
【図７】
2005236941.tif 000009
【図８】
2005236941.tif 000010
【図９】
2005236941.tif 000011
【図１０】
2005236941.tif 000012
【図１１】
2005236941.tif 000013
【図１２】
2005236941.tif 000014
【図１３】
2005236941.tif 000015
【図１４】
2005236941.tif 000016